(57)【要約】【課題】わんトラップ型排水トラップの腐食した筒状立ち上がり部分の内外面にゴム製の筒状被覆材を被覆してトラップを更生する方法において、トラップの封水を確保するためにゴム製の筒状被覆材をトラップの筒状立ち上がり部に密着させる方法。【解決手段】ワントラップ型排水トラップの筒状立ち上がり部分２を乾燥、清掃後、ゴム製の筒状被覆材３を筒状立ち上がり部２の内面に密着させて挿入し、上端を折り返して筒状立ち上がり部分の上部突き出し部分の外面に密着させることによる排水トラップの更生方法において、ゴム製の筒状被覆材３を装着する前に、トラップの筒状立ち上がり部２の内外面に熱硬化性樹脂塗料を塗布し、塗料の可使時間内にゴム製の筒状被覆材３を装着する。更に、筒状立ち上がり部にゴム製チューブを挿入し空気で加圧して膨張させることにより、ゴム製筒状被覆材とトラップの筒状立ち上がり部との密着性を高める。【選択図】図３
2010071060.tif 000002
【特許請求の範囲】
【請求項１】
建築物内の劣化した鋳鉄製わんトラップ型排水トラップの筒状立ち上がり部の内外面に、ゴム製の筒状被覆材を排水トラップの筒状立ち上がり部の内面に密着させて挿入し、ゴム製の筒の上端を折り返して排水トラップの筒状立ち上がり部の上部突き出し部分の外面下端まで密着させることにより筒状立ち上がり部の内外面をゴム製被覆材で被覆するわんトラップ型排水トラップの更生方法において、筒状立ち上がり部の内外面に熱硬化性樹脂塗料を塗布してから塗料の可使時間内にゴム製被覆材を装着するわんトラップ型排水トラップの更生方法。
【請求項２】
請求項１において、ゴム製被覆材を装着後トラップの筒状立ち上がり部の内側にゴム製のチューブを挿入し、空気で加圧して膨張させてゴム製被覆材をトラップの筒状立ち上がり部に密着させるわんトラップ型排水トラップの更生方法
【発明の詳細な説明】
【技術分野】
【０００１】  本発明は、建築物内の既設雑排水管に取り付けられたわんトラップ型排水トラップの更生方法に関する。
【背景技術】
【０００２】  建築物の浴室の雑排水管の排水流し口には、鋳鉄製のわんトラップ型排水トラッップが用いられる場合が多い。このトラップの排水に接触する部分は長年使用する間に腐食が進み劣化するので、このような排水トラップは更生する必要がある。従来この種の排水トラップの更生方法としては次の特許文献を挙げることが出来る。【０００３】
【特許文献】  特開２００６−１１８３２９号公報（わんトラップ型排水トラップの更生方法と材料）
【発明が解決しようとする課題】
【０００４】  特開２００６−１１８３２９号公報の場合は、鋳鉄製排水トラップの筒状立ち上がり部の内面にゴム製の筒状被覆材を密着させて挿入し、上端を折り返して筒状立ち上がり部の外面に密着させることによるトラップの更生方法であるが、筒状立ち上がり部の腐食による表面の凹凸が激しい場合はゴムの緊縛力だけでは水密を保持するだけの密着が困難な場合がある。特に筒状立ち上がり部の内面はゴムの緊縛力を利用出来ない為、密着させるのが難しい。密着しない場合は、ゴムの被覆材とトラップの筒状立ち上がり部の隙間から封水が漏れて必要な封水深さ（５０ｍｍ）が確保出来ない恐れがある。
【課題を解決する為の手段】
【０００５】  前記の課題を解決する為の具体的方法として、本発明の請求項１は鋳鉄製わんトラップ型排水トラップの筒状立ち上がり部の内外面に熱硬化性樹脂塗料を塗布後、塗料の可使時間内にゴム製の筒状被覆材を排水トラップの筒状立ち上がり部の内面に密着させて挿入し、ゴム製の筒の上端を折り返して排水トラップの筒状立ち上がり部の上部突き出し部分の外面下端まで密着させることにより筒状立ち上がり部の内外面をゴム製被覆材で被覆することにより密着性を強化する。
これによって樹脂塗料が鉄部の腐食した凹部を充填すると共にゴム製被覆材と接着して密着性を高めることが出来る。
使用する樹脂塗料としては、常温で硬化し取り扱いが容易な熱硬化性２液性無溶剤型エポキシ樹脂塗料が望ましい。
【０００６】  本発明の請求項２は、［０００５］において、排水トラップの筒状立ち上がり部の内面に対する筒状ゴムの密着力を強くする為の方法で、筒状ゴムを排水トラップの筒状立ち上がり部に装着後、内側に出入り口を密封したゴム製チューブを挿入し、これを空気で加圧膨張させて塗料が硬化するまで保持することによりゴム製被覆材とトラップの筒状立ち上がり部の密着力を強化する。
【発明の効果】
【０００７】  本発明によれば、鋳鉄製わんトラップ型排水トラップの筒状立ち上がり部上端が腐食で欠落した場合、排水トラップの筒状立ち上がり部の内外面に被せたゴム製筒状被覆材を鉄部に強固に密着させて水密性を向上させ、排水トラップの機能を回復させる効果がある。
【発明を実施するための最良の形態】
【０００８】  次に本発明を図示により詳しく説明する。図１は浴室に設けられたわんトラップ型排水トラップの図面である。この排水トラップは防水層を設けたコンクリートスラブ６に埋め込まれており雑排水管４が下部に接続されている。この排水トラップは筒状立ち上がり部２の上にわん５を取り付けることで筒状立ち上がり部との間に５０ｍｍ深さの封水部を設けて排水管からの臭気が外部に洩れるのを防いでいる。
この排水トラップは鋳鉄製のものが多く使われており、排水によって筒状立ち上がり部２が最も激しく腐食し、腐食が進行すると筒状立ち上がり部の上端が鋸歯状に欠落した状態となり排水トラップの機能が失われることになる。【０００９】  このような状態になった排水トラップを更生する為、図２に示すようなゴム製の筒状被覆材をトラップの筒状立ち上がり部の内外面に被せて更生する。【００１０】  排水トラップを更生するには、排水トラップの筒状立ち上がり部の内外面及び必要に応じてそれにつながる排水管４の内面をドライヤー等で乾燥させてからワイヤーブラシ等で汚れと錆を除去後、図３に示すように排水トラップの筒状立ち上がり部の内外面全面に熱硬化性樹脂塗料７（２液性無溶剤型エポキシ樹脂塗料が最も望ましい）を鉄部の凹凸を均すように塗布してから塗料の可使時間内にゴム製の筒状被覆材２を排水トラップの筒状立ち上がり部３の内面に差込み筒状立ち上がり部に密着させてから上部を折り返して筒状立ち上がり部の上部の突き出し部外面に被せる。この場合、ゴム製筒状被覆材を筒状立ち上がり部の外面に先に被せてから内面に折り曲げてもよい。【００１１】  図３に示すゴムチューブ８は、ゴム製筒状被覆材をトラップの筒状立ち上がり部に密着させるためのもので、樹脂塗料を塗布してゴム製被覆材を装着後、塗料の指触乾燥時間内にゴムチューブ８を挿入してバルブ９から自転車の空気入れ等を利用して空気を注入してチューブを膨らませて被覆材を筒状立ち上がり部に密着させる。そのままの状態で塗料が完全硬化するまで保持した後、脱圧してゴムチューブ８を取り除く。
ゴムチューブとしては自転車のチューブの利用が有効である。
【発明の効果】
【００１２】  本発明によれば、腐食が進んで表面があばた状になった鋳鉄製わん型排水トラップの筒状立ち上がり部に対してゴム製筒状被覆材を被せた場合、筒状立ち上がり部の内外面で被覆材と鉄部の密着性が強固になり鉄部と被覆材の隙間からの漏水を防止出来てトラップの封水機能が確実に維持出来る。
【図面の簡単な説明】
【００１３】
【図１】本発明が適用されるわんトラップ型排水トラップの設置断面図である。
【図２】本発明に使用されるゴム製筒状被覆材の断面図である。
【図３】本発明の樹脂塗料を塗布してゴム製筒状被覆材を装着後ゴムチューブを加圧して、ゴム製筒状被覆材を排水トラップの筒状立ち上がり部に密着させる要領図である。
【図４】本発明によるゴム製筒状被覆材をトラップに装着した完成断面図である。
【符号の説明】
【００１４】１  わんトラップ型排水トラップ本体
２  筒状立ち上がり部
３  ゴム製筒状被覆材
４  排水管
５  わん
６  コンクリートスラブ
７  塗料
８  ゴムチューブ
９  バルブ
【図１】
2010071060.tif 000003
【図２】
2010071060.tif 000004
【図３】
2010071060.tif 000005
【図４】
2010071060.tif 000006